Podtech/llm-jp-corpus-v4-ja_patent huggingface dataset:
(57)【要約】      （修正有）【課題】工事現場や交通誘導などにおいて着用する安全ベストのサイズが、胴囲・身丈共長さの調整ができるベストを提供する。【解決手段】前身頃・後身頃を、フィルム平型電線１０を用いて連結し、面ファスナー４を設け、長さの調整ができるフリーサイズＬＥＤベストである。【選択図】図１
0003134583.tif 000002
【実用新案登録請求の範囲】
【請求項１】
反射テープを用いた安全ベストにおいて、前身頃または１及び後身頃の丈の長さを調整可能なように、各々分離された、身頃どうしを調整部として、ＬＥＤ付平型電線を挿設した配線フィルムによって整られることを特徴とした、フリーサイズＬＥＤベスト。
【考案の詳細な説明】
【技術分野】
【０００１】この考案は、工事現場や交通誘導などに着用が義務づけされている安全ベストに関するものである。
【背景技術】
【０００２】従来より、胴囲・身頃を一体とし、面ファスナー使用により胴囲部分の横幅サイズがフリーになる安全ベストはあった。
【考案の開示】
【考案を解決しようとする課題】
【０００３】これは次のような欠点があった。
（イ）胴囲から胸囲、肩へと向かう身頃部分の長さの調整ができない。
（ロ）夏・冬用ジャケットの上に着用する為に、ひとりが季節に準じて２着以上保有しなければならなかった。
（ハ）事業所では、Ｓ、Ｍ、Ｌ、２Ｌなど沢山のサイズを用意しなければならなかった。
本考案は、以上の欠点を解決するために考案されたものである。
【課題を解決するための手段】
【０００４】胸部調整部（８）から肩背部の継ぎをＬＥＤ付フィルム平型電線で連結し、胸部調整部裏側に面ファスナー＋、肩背部表側に面ファスナー−を設けたことにより身頃の調整が自由にできることを特徴としたフリーサイズＬＥＤベストである。
【考案の効果】
【０００５】フリーサイズＬＥＤベスト一着があれば、胴囲・身丈の調整が可能となり、Ｓ、Ｍ、Ｌ、２Ｌなどのサイズが不要となる。
【考案を実施するための最良の形態】
【０００６】  以下、本考案を実施するための最良の形態を説明する。
（イ）前身頃と後身頃はＬＥＤ付フィルム平型電線（１０）を用いて連結する。さらに面ファスナー＋・−（４）（５）を設け、長さの調整ができる。
本考案における胸部調整部（８）は、身頃上部と下部とを接続する配線フィルム（３）によって繋がれており、この配線フィルム（３）自体が挿設されたＬＥＤ電線により、フィルム平型電線（１０）として機能する。
（ロ）胴囲部分と身頃部分の連結は、面ファスナー＋・−を設け、長さの調整ができる。
（ハ）また、図２に示すように、前身頃と同様に、ベストの後身頃のＶ字型部分も、胴囲部分との接続に配線フィルム（３）と面ファスナーを用いることで、その丈の長さの調整を行うことが可能となる。
【図面の簡単な説明】
【０００７】
【図１】本考案の正面図
【図２】本考案の背面図
【図３】本考案の平面図
【図４】本考案の底面図
【符号の説明】
【０００８】  １  反射部
２  メッシュ部
３  配線フィルム
４  面ファスナー（＋）
５  面ファスナー（−）
６  バッテリーＢＯＸ
７  スイッチ位置目印ステッカー
８  胸部調整部
９  胴囲調整部
１０  フィルム平型電線
【図１】
0003134583.tif 000003
【図２】
0003134583.tif 000004
【図３】
0003134583.tif 000005
【図４】
0003134583.tif 000006
【手続補正書】
【提出日】平成19年5月15日(2007.5.15)
【手続補正１】
【補正対象書類名】実用新案登録請求の範囲
【補正対象項目名】全文
【補正方法】変更
【補正の内容】
【実用新案登録請求の範囲】
【請求項１】
反射テープを用いた安全ベストにおいて、安全ベストの前面の前身頃又は後身頃の丈の長さを調整できるように、前身頃に配線フイルム（３）を設け、前身頃を各々分離することで、前身頃と後身頃の長さが調整でき、前身頃と後身頃ＬＥＤ付フイルム平型電線（１０）を挿設し、配線フィルム（３）によって、Ｓ、Ｍ、Ｌ。２Ｌのサイズの調整ができることを特徴とした、フリーサイズＬＥＤベスト。
(57)【要約】      （修正有）【課題】シュレッダー装置において、細断書類を後日簡便に確認する方法がなかった。セキュリティ管理と合わせ、事前登録機能をもったシュレッダーを提供する。【解決手段】シュレッダーＡに登録内容を入力するキー３、登録情報を保持するマイコンを設け、必要とする情報を登録すると共に、ＵＳＢメモリ２にてシュレッダーの登録情報を管理、パソコンで確認することを可能とした。【選択図】図１
0003134587.tif 000002
【実用新案登録請求の範囲】
【請求項１】
シュレダー装置にて、細断書類名等必要な項目内容を登録、保管する機能を有するデータ入力型シュレッダー装置。
【考案の詳細な説明】
【技術分野】
【０００１】  本考案は、シュレッダーにデータ入力機能を持たせ、細断書類の記録、整理を容易にしたものである。
【背景技術】
【０００２】  細断される書類は、細断書類の記録なしに細断されるのが一般的である。
【考案の開示】
【０００３】  なし
【考案が解決しようとする課題】
【０００４】  細断された書類は、後日細断した書類の確認が出来ないのが一般的である。
【課題を解決するための手段】
【０００５】  上記目的を達成するために、シュレッダー装置にデータ入力用のキーボードとマイコンを内蔵し、更にＵＳＢメモリとパソコンの接続口を設けた。
【０００６】  書類を細断後、どの書類を細断したかを知る方法としてスキャナーで読み取り細断する方法がある。
【０００７】  スキャナーの読み取り方法は、読み取り時間と読み取り内容確認の時間がかかった。
【０００８】  また、スキャナーの読み取り方法は、高価で簡易的な書類の管理には適していない。
【０００９】  シュレッダーに設置した入力キーで、必要最少限の登録情報を入力する。
【００１０】  また、必要最少限の登録情報は、日時、ファイル名、管理者名等である。
【００１１】  また、入力情報は外部メモリ、すなわちＵＳＢメモリで保管、管理出来るのでセキュリティも保たれる。
【考案の効果】
【００１２】  本考案によれば、細断後の書類管理が容易であり、実務処理等も効果的に行うことが出来る。
【００１３】  また、日時は内部時計で自動設定も出来る。
【００１４】  また、管理者名、部門等は外部パソコンより登録が出来、実際の操作時は登録内容を呼び出すことで、キー入力はファイル名の入力でよく、簡便に利用することを可能とした。
【図面の簡単な説明】
【００１５】
【図１】図１は本考案による登録機能を有するシュレッダーの外観図である。Ａはシュレッダー本体、１はスタートスイッチ、２はＵＳＢメモリ、３は入力キー、４はＬＣＤモニタである。
【図２】図２は本考案によるフローを示した図である。
【符号の説明】
【００１６】Ａ      シュレッダー本体
１      スタートスイッチ
２      ＵＳＢメモリ
３      入力キー
４      ＬＣＤモニタ
【図１】
0003134587.tif 000003
【図２】
0003134587.tif 000004
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
シュレッダー装置にて、データ入力キーにより細断書類名、日時、管理者名等必要項目を入力し、ＵＳＢメモリにより記録後パソコンに転送し保管出来る機能を有するデータ入力型シュレッダー装置。
【手続補正２】
【補正対象書類名】明細書
【補正対象項目名】０００９
【補正方法】変更
【補正の内容】
【０００９】  シュレッダーに設置した入力キーで、必要最少限の登録情報をＵＳＢメモリに記録入力する。
【手続補正３】
【補正対象書類名】明細書
【補正対象項目名】００１４
【補正方法】変更
【補正の内容】
【００１４】  また、管理者名、部門等は外部パソコンより登録が出来、実際の操作時は登録内容を呼び出すことで、キー入力はファイル名等必要最少限の情報入力でよく、簡単に利用することを可能とした。
【手続補正４】
【補正対象書類名】明細書
【補正対象項目名】００１５
【補正方法】変更
【補正の内容】
【００１５】
【図１】図１は本考案による登録機能を有するシュレッダーの外観図である。Ａはシュレッダー本体、Ｂはスタートスイッチ、ＣはＵＳＢメモリ、Ｄは入力キー、ＥはＬＣＤモニタである。
【図２】図２は本考案によるフローを示した図である。１は起動状態を示し、２の入力キーで立ち上がりを行う。立ち上がるキーは通常タッチパネルで行うが、携帯電話でのキーやＰＣ用キーボード等で行うことも出来、入力キーの操作で選択、必要項目の入力等も出来る。３は表示ＬＣＤモニタで立ち上げた内容が表示され、４で登録内容の選択を行い、５で内容確認し、必要な項目をキー入力する。６は５で操作した内容、ユーザーとシュレッダーする情報がモニタ表示され、事前に登録又は繰り返し使用する時は５を介さず、４から６．７と選択する。７はシュレッダーする書類を切断口に書類挿入する。８はシュレッダー口に書類が挿入されるとカッターモータが駆動し、９で書類は細断され、１０で書類細断後カッターモータは自動停止する。また、１１のＵＳＢメモリは６でモニタ表示された内容を記録し保管する。１２は１１のＵＳＢメモリをＰＣ管理するもので、一連の管理情報をＰＣに登録、登録内容の確認をするものである。
【手続補正５】
【補正対象書類名】明細書
【補正対象項目名】００１６
【補正方法】変更
【補正の内容】
【００１６】  Ａ  シュレッダー本体
Ｂ  スタートスイッチ
Ｃ  ＵＳＢメモリ
Ｄ  入力キー
Ｅ  ＬＣＤモニタ
１  起動
２  入力キー
３  表示ＬＣＤモニタ
４  登録内容呼び出し
５  登録内容選択
６  登録
７  書類挿入
８  モータ駆動
９  シュレッダー
１０  モータ停止
１１  ＵＳＢメモリ
１２  ＰＣデータ管理
【手続補正６】
【補正対象書類名】図面
【補正対象項目名】全図
【補正方法】変更
【補正の内容】
【図１】
0003134587.tif 000005
【図２】
0003134587.tif 000006
(57)【要約】      （修正有）【課題】公衆便所などの洋式トイレの便座に、じかに尻・太股の皮膚を付けるのは気持ちも悪く、皮膚病などの心配もあった。そのため、トイレットペ−パ−を簡単に固定し、かつ簡単に剥ぎ取ることができる。【解決手段】便座の左右に数ヶ所、大人の指先大の穴を空けること。【選択図】図１
0003134584.tif 000002
【実用新案登録請求の範囲】
【請求項１】
洋式トイレを使用する際、皮膚がじかに便座に接しないようにするため、市販のトイレットペ−パ−を簡単に便座に固定でき、用便後は簡単に剥がせる便座にする。そのために便座に数ヶ所、大人の指先大の穴を空けること。
【考案の詳細な説明】
【考案の詳細な説明】
【考案の属する新技術】
洋式トイレの便座は、そこに尻・太股をじかに乗せて、用を足すものである。
便座に座ると、通常臀部から太股の中程までの皮膚がじかに便座に接することになる。家庭用トイレならともかく、公衆便所やホテル・病院などの場合は、どんな人が使ったか分からないため気持ちが悪く、また皮膚病など衛生上の不安もあった。そのため、尻が便座に付かないよう中かがみで用を足す人、中には便座に靴のまま乗って用を足す人までいると聞く。
もしも便座にトイレットペ−パ−を敷いて、それを便座に固定できれば、皮膚が直接便座に付かないので、皆安心して便座に座り、用を足すことができるようになる。
ところがこれまでは、トイレットペ−パ−を便座に載せても、便座がツルツルしてずり落ちてしまっていた。そこで、トイレットペ−パ−を固定するために、便座の左右にそれぞれ数ヶ所、大人の指先大の穴を空けた。使用者はトイレッペ−パ−を３０センチメ−トル程切り、便座の左右に載せ、紙の上から穴を指先で押す。これでトイレットペ−パ−は便座に固定される。用便後は剥いで捨てる。こんな便座があれば、簡単な動作で安心して用が足せることになる。
なお、便座の穴の形状は○でもハ−トなどでもまわない。穴の数は左右各々２個程度でよいが、便座の大小によりそれ以上または１個でもよい。
【背景技術】  これまでは、備え付けのトイレットペーパーなどを便座に敷いて使っていた。ところが、便座は滑りがよくツルツルしているため、すぐにずり落ちてしまう。うまく敷いて腰掛けるまでに時間がかかり、一苦労であった。これは私の体験から出たものであるが、衛生観念の強い人には共通する苦労であろう。
中には便座をカバ−する特別の用紙を備えている便所もあるが、余り普及していない。値段も安く、簡単にセットできるものが求められていた。
【考案が解決しようとする課題】
便座に接する部分の皮膚を保護するために、便座に載せたトイレットペ−パ−を簡単に便座に固定でき、剥ぎ取ることができること。
【課題を解決するための手段】
本案は、これを解決するために、便座の左右に数ヶ所、穴を空けること。
【考案を実施するための最良の形態】  ▲１▼  便座に座る際、備え付けられたトイレットペ−パ−を適当な長さ（約３０センチメ−トル位）に切り、便座２に載せ、上から指で穴の部分を軽く押すと、トイレットペ−パ−は固定される。市販のトイレットペ−の幅は１１センチ前後あり、必要な部分の便座を十分にカバ−できる。
▲２▼  用便後はトイレットペ−パ−を剥いで捨てる。捨てる前に丸めて便座を拭くようにすれば、トイレットペ−パ−を有意義に使うことになる。
次の人は気持ち良くトイレを使えることになる。お互い様である。
なお、［図２］の［符号の説明］５・６はトイレットペ−パ−が途切れているが、ここには皮膚は接しないので、問題はない。
【考案の効果】
以上のとおり、これは、洋式トイレの便座に簡単にトイレットペ−パ−を固定でき、便座にじかに皮膚が接しないようにした実用新案である。用便が済んだら、簡単に剥いで捨てることができる。
【図面の簡単な説明】
【図１】  トイレットペ−パ−を便座に取り付ける前の全体図
【図２】  トイレットペ−パ−を便座に固定した全体図
【符号の説明】
図１
１は便座上部の蓋
２は便座
３は穴
図２
４は便座に固定されたトイレットペ−パ−
５・６は皮膚が便座に接しない部分
【図１】
0003134584.tif 000003
【図２】
0003134584.tif 000004
【手続補正書】
【提出日】平成19年4月26日(2007.4.26)
【手続補正２】
【補正対象書類名】実用新案登録請求の範囲
【補正対象項目名】全文
【補正方法】変更
【補正の内容】
【実用新案登録請求の範囲】
【請求項１】
数ヶ所において、トイレットペーパーを固定できる大人の指先大の穴を空けたことを特徴とする洋式トイレの便座。
(57)【要約】      （修正有）【課題】血圧測定用ディスポーザブルカバーが簡単に取り付けられる腕帯を提供する。【解決方法】腕帯のリング留めの縫い代の一部分にマジックテープを装着する。このことによりディスポーザブルカバー（筒状で片方にゴムが装着されたタイプ）を腕帯に取り付ける際、カバーの一部が腕帯に固定され、簡単に素早く取り付けられる。【選択図】図４
0003134592.tif 000002
【実用新案登録請求の範囲】
【請求項１】
血圧計の腕帯の一部にマジックテープを装着することにより、血圧測定用ディスポーザブルカバーが簡単に素早く取り付けられる腕帯。
【考案の詳細な説明】
【技術の分類】
【０００１】  本考案は血圧計の腕帯に関するものである。
【背景技術】
【０００２】  病院や施設、家庭などにおいて血圧を測定するにあたり、腕帯やカフの使い回しがされており、この使いまわしに衛生上の問題があると考えられている。そこで血圧測定用ディスポーザブルカバーを考案した。今回はそれに付随したものである。
【考案の開示】
【考案が解決しようとする課題】
【０００３】  ディスポーザブルカバーを簡単に腕帯に装着できるようにする。
【課題が解決するための手段】
【０００４】  この考案は腕帯のリング留めの縫い代部分にカバー取り付けマジックテープを装着することにより上記の課題を解決するものである。
【考案の実施の形状】
【０００５】  図１に示すように腕帯のリング留めの縫い代部分にディスポーザブルカバー取り付けマジックテープを装着する。
【０００６】  図２に示すように腕帯を筒状にして、図３のディスポーザブルカバーのＡ部分を腕帯のマジックテープに引っ付け、カバーを腕帯の中へ押し込むように装着する。
【考案の効果】
【０００７】  本考案により、ディスポーザブルカバー装着時にカバーのＡ部分を腕帯のマジックテープに引っ付けることで、カバーが腕帯に固定され、ずれることなく簡単に装着できる。
【図面の簡単な説明】
【０００８】
【図１】本考案に係るマジックテープを装着した腕帯である。
【図２】図１の腕帯を筒状にしたものである。
【図３】ディスポーザブルカバーである。
【図４】ディスポーザブルカバーを筒状の腕帯に装着した図である。
【符号の説明】
【０００９】１・・・腕帯
２・・・カバー取り付けマジックテープ
３・・・ゴム
４・・・装着用逃げ切欠
５・・・抗菌不織布
【図１】
0003134592.tif 000003
【図２】
0003134592.tif 000004
【図３】
0003134592.tif 000005
【図４】
0003134592.tif 000006
【手続補正書】
【提出日】平成19年5月15日(2007.5.15)
【手続補正１】
【補正対象書類名】実用新案登録請求の範囲
【補正対象項目名】全文
【補正方法】変更
【補正の内容】
【実用新案登録請求の範囲】
【請求項１】
血圧計の腕帯の一部に面ファスナーを装着することにより、血圧測定用ディスポーザブルカバーが簡単に素早く取り付けられる腕帯。
【手続補正２】
【補正対象書類名】明細書
【補正対象項目名】０００４
【補正方法】変更
【補正の内容】
【０００４】  この考案は腕帯のリング留めの縫い代部分にカバー取り付け面ファスナーを装着することにより上記の課題を解決するものである。
【手続補正３】
【補正対象書類名】明細書
【補正対象項目名】０００５
【補正方法】変更
【補正の内容】
【０００５】  図１に示すように腕帯のリング留めの縫い代部分にディスポーザブルカバー取り付け面ファスナーを装着する。
【手続補正４】
【補正対象書類名】明細書
【補正対象項目名】０００６
【補正方法】変更
【補正の内容】
【０００６】  図２に示すように腕帯を筒状にして、図３のディスポーザブルカバーのＡ部分を腕帯の面ファスナーに引っ付け、カバーを腕帯の中へ押し込むように装着する。
【手続補正５】
【補正対象書類名】明細書
【補正対象項目名】０００７
【補正方法】変更
【補正の内容】
【０００７】  本考案により、ディスポーザブルカバー装着時にカバーのＡ部分を腕帯の面ファスナーに引っ掛けることで、カバーが腕帯に固定され、ずれることなく簡単に装着できる。
【手続補正６】
【補正対象書類名】明細書
【補正対象項目名】０００８
【補正方法】変更
【補正の内容】
【０００８】
【図１】本考案に係る面ファスナーを装着した腕帯である。
【図２】図１の腕帯を筒状にしたものである。
【図３】ディスポーザブルカバーである。
【図４】ディスポーザブルカバーを筒状の腕帯に装着した図である。
【手続補正７】
【補正対象書類名】明細書
【補正対象項目名】０００９
【補正方法】変更
【補正の内容】
【０００９】  １・・・腕帯
２・・・カバー取り付け面ファスナー
３・・・ゴム
４・・・装着用逃げ切欠
５・・・抗菌不織布
(57)【要約】      （修正有）【課題】互いの配管外周面にオーリングでシールすると、シール位置はフリーになり、配管の施工、長さ誤差と、配管の伸縮を吸収できる隙間を設けることで、安定したシールで漏洩防止ができ、配管の組立が簡単になり、配管工事期間も短縮できる。【解決手段】本考案の管継ぎ手は接続する配管外周面にオーリング５を介し当フリージョイントで圧着漏洩防止をするシール位置はフリーになり安定した管継ぎ手で容易に組立が出来る。【選択図】図１
0003134596.tif 000002
【実用新案登録請求の範囲】
【請求項１】
本考案の管継ぎ手は接続配管の外周面をオーリングでジョイントするシール位置はフリーになり安定したシールで漏洩防止ができるフリージョイント。
【考案の詳細な説明】
【考案の詳細な説明】
【技術分野】
【０００１】  本考案は直管部の管継ぎ手の構造に関するもの。
【背景技術】
【０００２】  従来のボイラ周り蒸気及び水配管の管継ぎ手にユニオンジョイントがあります。
【考案の開示】
【考案が解決しようとする課題】
【０００３】  従来の管継ぎ手ユニオンジョイントはパッキングシートで端面接合する配管長さ誤差と配管内外の温度による配管の伸縮とネジの締め付け具合によって接合面の圧力が定まらない不安定な管継ぎ手である。この様な要因から配管施工後漏洩の原因となり改修工事をしなけれはならない問題がありました。
【課題を解決するための手段】
【０００４】  本考案の管継ぎ手は接続する配管外周面にオーリングを介し当フリージョイントで圧着漏洩防止をするシール位置はフリーになり安定した管継ぎ手で容易に組立が出来る。
【考案の効果】
【０００５】  互いの配管外周面にオーリングでシールするシール位置はフリーになる配管の施工、長さ誤差と配管の伸縮を吸収できる隙間を設けることで安定したシールで漏洩防止ができ配管の組立が簡単になり配管工事期間の短縮にもなります。
【考案を実施するための最良の形態】
【０００６】以下、添付図面に従って実施例を説明する接続する双方の配管外周にナット２リング３ワッシャ４オーリング５の順にはめ込む次にケーシング１を片方の配管外周にはめ込むケーシング１を配管の繋ぎ目が中心になるようケーシング１を設置する次に双方の配管外周のオーリング５ワッシャ４リング３ナット２の順に挟みこむ最後にナット２で締付る締付は一定で緩み止めにもなる。配管の外周とケーシング１の内周にオーリング５が圧着確実に漏洩防止ができる。配管の繋ぎ目が５ｍｍの隙間を設けることで配管の伸縮長さを吸収され安定したシールができる配管の組立が簡単になり配管工事が短縮される。
【実施例】  １５Ａ、ＳＧＰ当該するオーリングＰ２２Ａ溝付きケーシングとナットを鉄工所で製作、蒸気圧１０ｋｇ／ｃｍ２でテストシールは確保できた。
【図面の簡単な説明】
【０００７】
【０００８】
【図１】本考案のフリージョイント全体の断面と外形を示したもの
【図２】本考案のフリージョイントのリング部の詳細を示したもの
【符号の説明】
【０００９】  １      ケーシング
２      ナット
３      リング
４      ワッシャ
５      オーリング
【図１】
0003134596.tif 000003
【図２】
0003134596.tif 000004
【手続補正書】
【提出日】平成19年5月10日(2007.5.10)
【手続補正１】
【補正対象書類名】実用新案登録請求の範囲
【補正対象項目名】全文
【補正方法】変更
【補正の内容】
【実用新案登録請求の範囲】
【請求項１】
接続する双方の配管外周に本フリージョイントでオーリングを挟み締め付けることで漏洩防止と配管の接続ができるフリージョイント。
【手続補正２】
【補正対象書類名】明細書
【補正対象項目名】０００７
【補正方法】変更
【補正の内容】
【０００７】１５Ａ、ＳＧＰ当該するオーリングＰ２２Ａ溝付きケーシングとナットを鉄工所で製作、蒸気圧１０ｋｇ／ｃｍ２でテストシールは確保できた。
(57)【要約】【課題】  切る手間が省け、外観の崩れを最小限に、切り口も美しく個々に取り分けられるデコレーションケーキを提供する。【解決手段】  本考案によるデコレーションケーキは、デコレーションを施す前にケーキを切り、後からデコレーションを施してその切れ目を隠すことで、外観は従来のものと同様のデコレーションケーキとなる。しかし、予め個々に切ってあり、切る手間が省けることから、手早く、しかも外観の崩れを最小限に抑え、切り口も美しく取り分けられるようにすることで、課題を解決する。【選択図】図２
0003134600.tif 000002
【実用新案登録請求の範囲】
【請求項１】
切らずに食べられるデコレーションケーキ
【考案の詳細な説明】
【技術分野】
【０００１】  本考案は、ナイフで切らずに個々に取り分けられるデコレーションケーキに関する。
【背景技術】
【０００２】  従来のデコレーションケーキは、ナイフで切り、皿に取り分けて食べるのが一般的であった。
【考案の開示】
【考案が解決しようとする課題】
【０００３】  しかし、上述した従来のケーキは、ナイフで切る手間がかかり、また、その美しい形や、施したデコレーションを崩さずに、切り口も美しく切ることは難しかった。
【課題を解決するための手段】
【０００４】  本考案によるデコレーションケーキは、デコレーションを施す前にケーキを切り、後からデコレーションを施してその切れ目を隠すことで、外観は従来のものと同様のデコレーションケーキとなる。しかし、予め個々に切ってあり、切る手間が省けることから、手早く、しかも外観の崩れを最小限に抑え、切り口も美しく取り分けられるようにすることで、上記課題を解決する。
【考案の効果】
【０００５】  本考案によるデコレーションケーキは、ナイフで切る必要が無いため、その美しい形を保ったまま個々に取り分けることが可能となる。
しかし、この作用を求めるだけであれば、初めから美しく切ってある「ショートケーキ」でも満たすことはできるが、切る前のデコレーションケーキには、その大きさ、豪華さ、美しさのほか、バースデーケーキとして用いる際にはロウソクを立てるなど、ショートケーキでは得られない価値や目的がある。
本発明によるデコレーションケーキは、従来のデコレーションケーキの長所である「大きさ」、「豪華さ」、「美しさ」と、ショートケーキの長所である「ナイフで切らずに食べられる」という両者の長所を兼ね備えるとともに、従来のデコレーションケーキの、「切る手間がかかる」、「上手く切れない」といった短所と、ショートケーキの、「小さい」、「豪華さが劣る」といった短所を克服することができる。
【考案を実施するための最良の形態】
【０００６】  図３に示すように、苺の配置によって、クリームで隠されているスポンジの切れ目を消費者が容易に推測できるようにデコレーションを施した。
【実施例】
【０００７】  つぎに、本考案にかかる実施例について図１から図３を参照しながら具体的に説明する。ただし、本考案はこの実施例に限定されるものではないことはもちろんである。
初めに、図１のように、トレーの上で、デコレーションを施す前のケーキを作成する。
次に、そのケーキを適当な数にナイフで切る。図２は、６つに切ったものである。
ここで、トレーにケーキの切れ目がどこにあるかを示す目印を付けておくと、デコレーションを施し易く、また、ケーキを取り分ける際にも切れ目が一見してわかるので取り分け易い。あるいは、６人分であることを他に表示したり、苺の数等で６人分であることが一目瞭然であれば、トレーに目印が無くても消費者はケーキの切れ目がどこにあるか見当をつけることができる。
次に、ケーキの表面全体にクリームを塗り、切れ目をクリームで隠すことで、個々に切れていることがわからなくなり、外観は１個の大きいホールケーキと同じ状態となる。
これにさらにクリームと苺を使ってデコレーションを施した完成品が図３である。
【図面の簡単な説明】
【０００８】
【図１】本考案による一実施例の製作過程を図に示したものであり、デコレーションを施す前のケーキの斜視図である。
【図２】デコレーションを施す前のケーキを６つに切った状態の斜視図である。トレーには、切れ目を示す目印を付けた。
【図３】ケーキの切れ目をクリームで隠し、デコレーションを施した完成品斜視図である。
【符号の説明】
【０００９】１  苺
２  クリーム
３  スポンジ
４  トレー
５  ケーキの切れ目
６  ケーキの切れ目を示すため、トレーに付けた目印
【図１】
0003134600.tif 000003
【図２】
0003134600.tif 000004
【図３】
0003134600.tif 000005
【手続補正書】
【提出日】平成19年5月24日(2007.5.24)
【手続補正１】
【補正対象書類名】実用新案登録請求の範囲
【補正対象項目名】全文
【補正方法】変更
【補正の内容】
【実用新案登録請求の範囲】
【請求項１】
外観は従来のデコレーションケーキと同様であるが、表面に施したクリーム等によるデコレーションに隠された中身（スポンジ及びスポンジの間に挟まれたクリームやフルーツ等）が個々に切れており、ナイフで切らずに銘々に取り分けることができるデコレーションケーキ。
(57)【要約】【課題】  本考案は、防水加工による女性生理用防水服を着用することにより血液が漏れず、他の物にも血液が付着しない。其の為、衛生的で精神的にもストレスが無く、安心感がある。【解決手段】  本考案は、生地と生地の間にポリ塩化ビニールかポリウレタンなどのフイルムか樹脂を挟み、片方の生地のみに貼り合わせる防水ラミネート加工を施す。もう片方の生地はラミネート加工を施さないので生地がソフトで肌にはやさしい。女性生理用防水服の着用により、血液が漏れず、他の物にも血液が付着しない。衛生的で安心感がある。【選択図】図１
0003134599.tif 000002
【実用新案登録請求の範囲】
【請求項１】
女性の生理時における血液が多い場合、生理用下着、生理用パットを着用しても血液が女性の着用している衣服に浸透し、椅子や寝具にも付着する。其の為、不衛生であり、精神的負担も大きい。本考案は上述を解決するものである。本考案の女性生理用防水服の構造は、生地（３）の片面にポリ塩化ビニールかポリウレタンなどのフイルムか樹脂（２）を貼り合わせ、防水ラミネート加工を施す。生地（１）は防水ラミネート加工を施さない。形状において、添付した図面は服のデザインが巻きスカートである。女性の腰にスカートを巻き付け、上部左右の紐（４）でウエストを固定する。着用時は女性生理用防水ラミネート加工を施された生地（３）の表面を表側にし、防水ラミネート加工を施さないソフトな生地（１）の表面を肌に接触する裏側の部分とする。産業上における、女性生理用防水服のファッション的デザインは本考案を基にできる。生理時に本考案を就寝中や日中などに着用することにより、多くの女性が衛生的で精神的ストレスもなく安心できることを特徴とする女性生理用防水服である。
【考案の詳細な説明】
【技術分野】
【０００１】  本考案は、女性の生理時における防水加工による女性生理用防水服に関するものである。ただし、女性が下半身に穿き、着用する洋服であり、洋服の下に穿く下着ではない。
【背景技術】
【０００２】  生理時における、血液の出る量が多い場合、生理用下着、生理用パットを着用しても血液が漏れ、スカートやスラックスの表側まで血液が浸透し、更に血液が椅子や寝具にまで付着していた。不衛生であり、血液が漏れるストレスの精神的負担も大きい。
【考案の開示】
【考案が解決しようとする課題】
【０００３】  生理時に従来通り生理用下着、生理用パットを着用するが、さらに本考案の防水加工による女性生理用防水服を着用することにより、服から血液が漏れず、椅子や寝具などに付着しない。本考案は構造的にも女性が通常の生理以外の日にスカート、スラックスを着用している感覚と変化が無く、ファッション的にも快適である。衛生的で精神的にストレスが無く、安心感があり従来の欠点を解決しようとするものである。
【課題を解決するための手段】
【０００４】  本考案の女性生理用防水服の構造は、生地と生地の間に、ポリ塩化ビニールかポリウレタンなどのフイルムか樹脂を挟み、片方の生地のみに貼り合わせる防水ラミネート加工を施す。もう片方の生地はラミネート加工を施さないので生地がソフトで肌にはやさしい。その為、本考案の女性生理用防水服は、血液が漏れず衛生的で精神的にも安心感があり問題点を解決している。
【考案の効果】
【０００５】  上述の様に、本考案の女性生理用防水服を着用することにより、血液が漏れず、他の物に付着することも無い。其の為、衛生的で精神的にもストレスが無く、安心感がある。
【考案を実施するための最良の形態】
【０００６】  本考案に添付した図面の服のデザインは、巻きスカートである。女性の腰にスカートを巻き付け、上部左右の紐でウエストを固定する。着用時は女性生理用防水ラミネート加工を施された生地の表面を表側にし、防水ラミネート加工されて無いソフトな生地の表面を肌に接触する裏側の部分とする。上述の様に、就寝中、日中とも同様に着用できる。
【実施例】
【０００７】  以下、添付図面の実施例を説明する。１は防水加工を施さない生地。服の着用時は１の生地の表面を肌に接触する裏側の部分とする。２は、ポリ塩化ビニールかポリウレタンなどのフイルムか樹脂である。３は片面に防水ラミネート加工を施す生地。２と３の片面を貼り合わせる防水ラミネート加工を施す。服の着用時は３の生地の表面を表側にする。４は服の着用時にウエストを固定する紐。【０００８】  本考案の女性生理用防水服の実施例は、上述の如き構成からなるものであるから、１、２、３から構成される服の本体を女性の腰に巻き付け４の紐でウエストを固定する。
【図面の簡単な説明】
【０００９】
【図１】  本考案の女性生理用防水服の実施例を示す平面図である。
【図２】  女性生理用防水服の生地の断面図である。
【図３】  女性生理用防水服を着用した実施例を示す立面図である。
【符号の説明】
【００１０】  １  防水加工を施さない生地
２  ポリ塩化ビニールかポリウレタンなどのフイルムか樹脂
３  片面に防水ラミネート加工を施す生地
４  着用時にウエストを固定する左右の紐
【図１】
0003134599.tif 000003
【図２】
0003134599.tif 000004
【図３】
0003134599.tif 000005
【手続補正書】
【提出日】平成19年5月28日(2007.5.28)
【手続補正１】
【補正対象書類名】実用新案登録請求の範囲
【補正対象項目名】全文
【補正方法】変更
【補正の内容】
【実用新案登録請求の範囲】
【請求項１】
女性生理用防水服において、種類の異なる生地２枚を重ね合わせ、１枚は生地の素材の性質により、ポリ塩化ビニールのフイルムかポリウレタンの樹脂を片面に貼り合わせ、血液の漏れを防ぐ防水ラミネート加工を施し、他の１枚の生地は、防水ラミネート加工をしない女性生理用防水服。
【請求項２】
女性生理用防水スカートにおいて、
（１）女性生理用防水スカートの形状は、横長の長方形で種類の異なる生地２枚を重ね合わせ、上部左右の端に紐を付け、ウエスト位置の調節を可能にした女性生理用防水スカート。
（２）女性生理用防水スカートの構造は、種類の異なる生地２枚を重ね合わせる構成で、１枚は生地の素材の性質により、ポリ塩化ビニールのフイルムかポリウレタンの樹脂を片面に貼り合わせ、血液の漏れを防ぐ防水ラミネート加工を施し、他の１枚の生地は、防水ラミネート加工をしない女性生理用防水スカート。
以上（１）、（２）からなる女性生理用防水スカート。
(57)【要約】      （修正有）【課題】従来のイヤホンの使用終了の度に収納をしなければならない不便さの解消等。【解決手段】左右のスピーカー部分２および３の両方もしくはどちらか一方に磁石を内蔵し（どちらか一方に磁石を内蔵した場合はもう一方に磁力に反応する材質のものを内蔵する）、２および３の部分が磁力により接着する構造とし、未使用時に首の後ろで接続することによってこの課題を解決する。【選択図】図１
0003134595.tif 000002
【実用新案登録請求の範囲】
【請求項１】
左右のスピーカー部分の両方もしくはどちらか一方に磁石を内蔵し（どちらか一方に磁石を内蔵した場合はもう一方に磁力に反応する材質を内蔵する）スピーカー部分が相互に接着する構造のイヤホン。
【考案の詳細な説明】
【技術分野】
【０００１】  本考案は、イヤホンの形態に関する。
【背景技術】
【０００２】  従来のイヤホンは、使用終了の度に収納をしていた。
【考案の開示】
【考案が解決しようとする課題】
【０００３】  しかし、使用終了の度に収納するのは面倒であり不便である。
【課題を解決するための手段】
【０００４】  そこで、左右の耳に差し込むスピーカー部分２および３の部分に磁石４を内蔵することを考案した。（図１）そのことにより、未使用時に首の後ろでスピーカー部分を相互に接続できる。（図２）
【考案の効果】
【０００５】  よって、本考案により、イヤホンの未使用時においても収納の必要がなく、首の後ろで接着しそのまま移動などが出来る。次回使用する際は、２および３部分を離し再度耳に装着する。その度、収納の手間が省けて便利である。また付随効果として、内蔵した磁石が磁気ネックレス等と同様の効果も及ぼす。
【考案を実施するための最良の形態】
【０００６】  本考案に係るイヤホン１は、図１に示すように左右のスピーカー部分２および３の部分の両方もしくはどちらか一方に磁石を内蔵し（どちらか一方に磁石を内蔵した場合はもう一方に磁力に反応する材質を内蔵する）２および３の部分が磁力により接着される構造とする。接着度の強さは、通常の移動などの動きでは外れず、また再度使用する際に両手で軽く引っ張ると離れる程度の強さが望ましく、それは磁力の強さにより調整する。また接着位置がずれないようにする為に２および３の部分に内蔵する磁石等をそれぞれの同位置にリング状に配置する等の工夫をする。
【図面の簡単な説明】
【０００７】
【図１】  本考案に係るイヤホンの図
【図２】  本考案に係るイヤホンを首にかけた図
【符号の説明】
【０００８】  １    イヤホン
２    左スピーカー部分
３    右スピーカー部分
４    磁石等
【図１】
0003134595.tif 000003
【図２】
0003134595.tif 000004
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
左右のスピーカー部分の両方に磁石を内蔵、もしくはどちらか一方に磁石を内蔵しもう一方には磁力に反応する材質を内蔵して、スピーカー部分が相互に接着する構造のイヤホン。
(57)【要約】【課題】土木工事や法面工事において手軽に持ち運びでき施工場所を選ばない安全で、強力な足場一体型ガイドセルボルトマシンを提供する。【解決手段】法面現場で穿孔する場合に、横板と鉄パイプで手摺付き仮設台座を組立て、電動式ホイストをドリフター本体に取り付け、動滑車にチェーンを通し、先端の最高部に掛けることにより吸引力が倍増する。またＳＰスイベルを採用することによりエヤーブローが強力となる。電動式ホイストの電気系統基盤を外部へ移動することにより、ホイストの耐久性の向上し、遠隔操作を可能にした。装置は足場一体型として、人力で簡単に設置することができ、クランプで足場を固定する為、転倒したり、削孔位置がずれたりすることが全くない、安全で高精度な施工を実現できる。また従来の施工方法と異なり足場上での作業なので、親綱の必要がない為、効率のよい作業を行うことができる。【選択図】図１
0003134591.tif 000002
【実用新案登録請求の範囲】
【請求項１】
法面現場において、穿孔する場合、削岩機を上下移動でき、その上下運動を効率よくコントロールできるダンバーを装着した案内板に載せたドラフター本体と、その案内板の上下の移動にチェーンを通し動滑車を使用した電動ホイストと、ドラフター本体の電気関係の操作やエアーの操作を行う操作盤と、削岩機と穿孔用ロットを接続したＳＰスイベルと、手摺付きの仮設台座とを装備することを特徴とする法面穿孔装置。
【請求項２】
削岩機を載せた案内板の上下移動を動滑車利用して、電動ホイストで行う請求項１に記載の法面穿孔装置。
【請求項３】
作業振動によるホイストの電気基盤の損傷を防止し、作業員が白蝋病を罹病しないための遠隔操作盤を採用した請求項１または請求項２に記載の法面穿孔装置。
【請求項４】
削岩機と穿孔用ロットの連結部分にＳＰスイベルを採用することにより穿孔洞内の粉塵等の排出を効果的にしたり、水の注入も可能となる。請求項１または請求項２、請求項３に記載の法面穿孔装置。
【請求項５】
手摺付きの仮設台座とドラフター本体を連結することにより穿孔位置・角度がずれない請求項１または請求項２、請求項３、請求項４に記載の法面穿孔装置。
【考案の詳細な説明】
【技術分野】
【０００１】本新案は、土木工事法面工で岩盤穿孔作業をする際に、重い削岩機の振動による白蝋病や疲労をなくするため、それと高所においての安全作業を確保するための手摺付き仮設台付きのレール式法面用軽量穿孔装置に関するものである。
【背景技術】
【０００２】従来、法面へ穿孔し打設する場合、アンカー長が３ｍ以上の場合は３００ｋｇ以上の機械を足場の上にのせて穿孔し、１ｍ〜３ｍ長は人力で穿孔していた。また機械をウインチで吊たりして不安定な状態で作業していた。
【考案の開示】
【考案が解決しようとする課題】
【０００３】穿孔装置を岩盤穿孔現場でクレーン等に吊り下げて、穿孔していた。穿孔装置が重いため穿孔穴の中心を維持できなくなり、キリが抜けなくなる。【０００４】長時間穿孔するので、激しい振動で手の関節等に痛みを生じていた。【０００５】穿孔した粉を外に排出するために何度も削岩機を上下させるので作業員が疲労していた。
【課題を解決するための手段】
【０００６】削岩機を乗せた案内板（１３）は固定された一対のガイドレール（６）に乗せて移動する。上部の固定された電動ホイスト（３）よって吊り下げし、下部を穿孔個所に設置する。滑車を掛けた吊り上げチェーン（５）を引っ張ることで半分の力で上下させる。穿孔ロット（１８）と削岩機（１３）をＳＰスイベル（１６）によって接合することによりエァーブローが倍増する。本考案は以上の構成による法面穿孔装置である。
【考案の効果】
【０００７】本新案によりどんな高い法面でも容易に穿孔作業ができ、作業員の疲労と白蝋病を防ぎ、誰にでも容易に施工ができ、さらに安全作業を進めることができる。
【考案を実施するための最良の形態】
【０００８】本考案によりどんな高い法面でも容易に穿孔作業ができ、作業員の疲労と白蝋病を防ぎ、誰にでも容易に施工ができ、さらに安全作業を進めることができる。【０００９】穿孔装置は固定された一対の鉄パイプ（６）へ４箇所のスライドガイド付きの削岩機を取り付けた案内板（１３）を乗せ上下させる。案内板は動滑車（１１）を介した上部２箇所で（１）（２）固定されたチェーン（５）によって電動ホイスト（３）で上下する。案内板の下部にはチェーンにかかる振動を緩和し、下方向への打設の力を増幅するためにダンバー（１２）を装着している。削岩機と穿孔ロット（１８）の接合具としてＳＰスベイル（１６）を採用することにより穿孔洞内で発生する粉を外部に出やすくし、洞内への水の注入もできる。【００１０】激しい振動よる穿孔作業により電動ホイストの電気基盤が壊れることが多々あるため、遠隔操作盤（１５）へ移設した。遠隔操作盤（１５）を使用することにより作業員が作業中に振動している穿孔装置に触れることが少なくなり、従来の作業方法よりは安全作業が確保できる。【００１１】図２に示すように手摺（１０）付きの仮設台を設ける。その手摺と仮設台の前面鉄パイプ（１７）に穿孔装置の接続金具（８）４ヶ所を接合すれば、穿孔穴の中心を維持が容易になり、キリが抜けないと言う問題は解決する。
【図面の簡単な説明】
【００１２】
【図１】本考案の平面図
【図２】本考案の断面図
【符号の説明】
【００１３】１      センターフック
２      左フック
３      電動ホイスト
４      チェーン収納ボックス
５      吊り用  チェーン
６      ガイドレール（左右）
７      電動ホイスト保護ゴム（左右）
８      仮設パイプと本体連結金具
９      手摺用支柱鉄パイプ（左右）
１０    手摺用鉄パイプ
１１    動滑車
１２    ダンバー
１３    削岩機搭載の案内板
１４    横板
１５    操作盤
１６    ＳＰスイベル
１７    仮設パイプ前面部分
１８    穿孔ロット
【図１】
0003134591.tif 000003
【図２】
0003134591.tif 000004
【手続補正書】
【提出日】平成19年5月19日(2007.5.19)
【手続補正１】
【補正対象書類名】実用新案登録請求の範囲
【補正対象項目名】請求項４
【補正方法】変更
【補正の内容】
【請求項４】
削岩機と穿孔用ロットの連結部分にＳＰスイベルを採用することにより穿孔洞内の粉塵等の排出を効果的にする請求項１、請求項２または請求項３に記載の法面穿孔装置。
【手続補正２】
【補正対象書類名】実用新案登録請求の範囲
【補正対象項目名】請求項５
【補正方法】変更
【補正の内容】
【請求項５】
手摺付きの仮設台座とパイプドリル本体を連結することにより穿孔位置・角度がずれない請求項１、請求項２、請求項３または請求項４に記載の法面穿孔装置。
(57)【要約】      （修正有）【課題】限られた資源を有効に利用するため、テコの原理とギヤレーションを利用した動力増幅発電装置で、バッテリーを動力源とすることでインフラ整備不要で、少ない入力エネルギーを大容量の出力エネルギーに変換することができ安全で省資源、地球温暖化防止問題等を解決する。【解決手段】メーンシャフトに円盤ローターを取り付け円盤の各１２０度の先端に、同一能力のモーターを各１台装着し、モーターギヤにより５倍比の遊星ギヤにより円盤の中心に取り付けた静止ギヤを軸に円盤ローターを回転させ、円盤ローターの外周に永久磁石を装着しその外側にコイルを装着したステーターコアを取り付ける。【選択図】図１
0003134598.tif 000002
【実用新案登録請求の範囲】
【請求項１】
メーンシャフトに円盤ローターを取り付け円盤の１２０度の先端に同一能力のモーターを各１台、計３個装着し、各々に遊星ギヤの１／５比のギヤを取り付け、円盤ローターに取り付けた遊星ギヤを可動させ、遊星ギヤはセンターに固定された同型の固定ギヤを軸に円盤ローターを回転させる。円盤ローターの外周に永久磁石を取り付け、その外側にステーターコアを取り付けコイルを挿入し円盤ローターを回転させることで発電装置とする。ローターの内心部分を軽量化し外周部分を重量化する事で遠心力、フライホイール効果を増幅する。
【請求項２】
装置を大型化することでメーンシャフトに生ずるエネルギーは増大する。メーンシャフトに低速回転対応発電機を装着する事で請求項１の本体共ダブル発電が可能となる。高速対応発電機を装着する時はメーンシャフトと発電機シャフト間をギヤレーションする。
【考案の詳細な説明】
【実用新案の詳細な説明】
【技術分野１】
モーターギヤ、遊星ギヤ、固定ギヤの組み合せとギヤレーション、テコの原理を応用し動力増幅装置と発電装置を一体化した。ローター外周にモーターを装着する事を特長とする。
【技術分野２】
モーターが２５００回転で可動すると遊星ギヤ、円盤ローターメーンシャフトが５００回転となる。ギヤレーションにより２５００回転のスピードが５倍の動力トルクに変換し遊星ギヤと固定ギヤの支点がテコとなり２倍の動力増幅となり、更にローターに取り付けたモーター重量によるフライホイール効果による動力増幅効果となる。
【技術分野３】
モーターへの入力はバッテリー、インバーター変換で入力し発電された電力の一部をバッテリーに戻すことでインフラ整備不要の発電装置となる。家庭用、業務用、電機自動車船舶用、病院、コンビニ、農業、漁業等広範囲に使用する事ができる。
【背景技術】  従来の動力源、発電源として、水力、化石燃料、原子力、風力、太陽熱、太陽光、地熱、バイオマス、燃料電池等が広範に利用され技術的にも高い水準に達している。しかし、変換効率、高価格、償却期間、枯渇資源問題、安全性、自然条件など今後解決すべき課題が多い。
【解決しようとする課題】
従来の動力源は、熱の放出、排気ガスなど、地球温暖化、公害問題などがあり、又、変換効率も悪く運転コストが高い。限られた資源を有効に利用するため当考案は、テコの原理とギヤレーションを利用した動力増幅発電装置でバッテリーを動力源とすることでインフラ整備不要で、少ない入力エネルギーを大容量の出力エネルギーに変換することができ安全で省資源、地球温暖化防止問題等を解決することができる。
【図面の簡単な説明】
【図１】回転ローター１２０度の各先端にモーター設置、モーターギヤ対遊星ギヤ１対５比で固定静止ギヤを軸に回転、ローターセンターシャフト取付の発電機で発電する。トルクはローターシャフト中心よりモーターギヤ中心までの半径と外周質量の大きさに比例して増大する。
【図２】増幅されたエネルギーを伝導変換ロス無く発電エネルギーに変換するためローター外側にステーターを組み込み本体を発電機とすることと、シャフトに直に発電機を取り付けることでダブルで発電することができ、発電された電力の一部をインバーターによりバッテリーに返還することで循環型発電装置となる。
0003134598.tif 000003
0003134598.tif 000004
【手続補正書】
【提出日】平成19年5月14日(2007.5.14)
【手続補正１】
【補正対象書類名】実用新案登録請求の範囲
【補正対象項目名】全文
【補正方法】変更
【補正の内容】
【実用新案登録請求の範囲】
【請求項１】
メーンシャフトに円盤ローターを取り付け円盤の各１２０度の先端に、同一能力のモーターを各１台装着し、モーターギヤにより５倍比の遊星ギヤにより円盤の中心に取り付けた静止ギヤを軸に円盤ローターを回転させ、円盤ローターの外周に永久磁石を装着しその外側にコイルを装着したステーターコアを取り付けた発電装置。
【請求項２】
請求項１のメーンシャフトに発電機を装着し、請求項１の発電装置と一体でダブル発電できることを特徴とする発電装置。
【手続補正２】
【補正対象書類名】図面
【補正対象項目名】全図
【補正方法】変更
【補正の内容】
【図１】
0003134598.tif 000005
【図２】
0003134598.tif 000006
(57)【要約】【課題】本考案は懐紙ケース本体に茶席に必要な黒文字（つまようじ）を収納できると共に茶席以外の多くの使い道がある為、普段使いとして気軽に持っていただけるように考案したものである。【解決手段】  本考案は懐紙ケース本体１を使いやすくするため三つ折りの観音開きにし、さらに強度、安定性を持たせる為ゴム２で止められるようになっている。３の黒文字入れを付属させることにより正式な茶席にも対応している。素材は紙から布まで素材は様々なので時、場所に応じて使用が可能。【選択図】図１
0003134593.tif 000002
【実用新案登録請求の範囲】
【請求項１】
茶席に使用する懐紙のケースで三つ折りの観音開きになっており中に懐紙を挟む取り扱いが簡単な作りになっている。中に黒文字（つまようじ）を入れる部分もあり正式な茶席にも使用できる他、一般でも気軽に使用できる懐紙ケース。
【考案の詳細な説明】
【技術分野】
【０００１】本考案は茶席に必要な懐紙のケースでありその中に黒文字（つまようじ）が入れられるものである。
【背景技術】
【０００２】懐紙は本来、茶席で使用するもので現在、一般的にはあまり馴染みのないものだが用途はさまざまで日常生活でも幅広く使える。食事の際や一筆箋などのメモ帳の役割を果たし非常に便利なのにも関わらず一般的にほとんど使用されていない。
【考案の開示】
【考案が解決しようとする課題】
【０００３】日本の文化を受け継ぐという意味でももっと懐紙を気軽に使用してもらいたいことからケースのデザイン性を重視し若い方にも受け入れやすくすることにより問題点を解決している。
【課題を解決するための手段】
【０００４】懐紙ケースの素材は和紙から布までいろいろな素材で作成が可能で柄を豊富に揃えることが出来るのでハンカチやティッシュケースのようにファッションの一部として取り入れることにより懐紙の魅力を広めることができる。
【考案の効果】
【０００５】身だしなみのひとつとして持つことにより懐紙を身近に使用することができる。日本文化を大切にする心を養い、世界にも誇れるアイテムとして活躍できる。
【考案を実施するための最良の形態】
【０００６】三つ折の観音開きのシンプルな形で開くと簡単に懐紙が取り出せる。また、ゴムで止めてあるため開きやすさと安定性もある。茶席のために黒文字を入れる部分がありその他、一筆箋のケースとしても機能し、用途はさまざまでその人に合わせることができる。３の部分は小さいポケットで黒文字（つまようじ）を入れることができる。
【実施例】
【０００７】以下、添付図面に従って説明する。
１は本体で長方形の観音開きとなっている。素材は和紙や布など様々なもので作成可能。見開き中央に懐紙を挟む状態で収納できる。２は１に付いていてゴムでできており懐紙ケースを止める部分である。
【産業上の利用可能性】
【０００８】和食（レストラン）や茶道教室、和雑貨店などで利用が可能。
また企業やオリジナルロゴを入れるなど各会社のノベルティなどにも使用でき、販売促進としても役立つアイテムとなる。
【図面の簡単な説明】
【０００９】
【図１】本考案の見開き図である。
【図２】本考案の閉じた状態の正面図である。
【符号の説明】
【００１０】１．  懐紙ケース全体
２．  懐紙ケースを止めるゴム
３．  黒文字入れポケット
【図１】
0003134593.tif 000003
【図２】
0003134593.tif 000004
【手続補正書】
【提出日】平成19年5月23日(2007.5.23)
【手続補正１】
【補正対象書類名】実用新案登録請求の範囲
【補正対象項目名】全文
【補正方法】変更
【補正の内容】
【実用新案登録請求の範囲】
【請求項１】
茶席に使用する懐紙のケースで三つ折りの観音開きになっており、中に懐紙を挟む取り扱いが簡単な作りになっている、中に黒文字を入れる小さなポケットがあり黒文字１本が差し込め、黒文字は茶席において和菓子を食べる際に使うものであり正式な茶席にも使用できる他、一般でも食事の際などに気軽に使用できる懐紙ケース。